(57)【要約】【課題】  斬新な意匠を与えることができるとともに使い勝手が良い。【解決手段】  壁の前に設けられる収納装置１であって、この収納装置１の前面１３に一対の引戸１４、１５が設けられ、この一対の引戸１４、１５の上および下の位置に対向して設けられる案内溝３１と、この案内溝３１に案内され一対の引戸１４、１５の各々の上部および下部に設けられる上側被案内装置１８および下側被案内装置２２とを備え、案内溝３１は一対の引戸の引き方向６２に形成される直線溝３２と、直線溝３２の中央を中心にハの字状に前方に広がる第１の分岐溝３５と、直線溝３２の両端から第１の分岐溝３５と同側で直線溝３２から遠ざかる方向に形成される第２の分岐溝３８とを有する。さらに、一対の引戸の突合せ側木口２８同士の間に取り外し可能な方立て６０を設ける。【選択図】              図１
2005120794.tif 000002
【特許請求の範囲】
【請求項１】
壁の前に設けられる、または一部または全部が壁内に設けられる収納装置であって、該収納装置の前面に少なくとも一対の引戸が設けられ、該一対の引戸の上および下の位置に対向して設けられる案内溝と、該案内溝に案内され前記一対の引戸の各々の上部および下部に設けられる被案内手段とを備え、前記案内溝は前記一対の引戸の引き方向に形成される直線溝と、該直線溝の中央を中心にハの字状に前方に広がる第１の分岐溝と、前記直線溝の両端から前記第１の分岐溝と同側で該直線溝から遠ざかる方向に形成される第２の分岐溝とを有してなる収納装置。
【請求項２】
請求項１において、前記一対の引戸の突合せ側木口同士の間に方立てを設けてなる収納装置。
【請求項３】
請求項２において、前記方立ては取り外し可能に形成されてなる収納装置。
【発明の詳細な説明】
【技術分野】
【０００１】
本発明は、住宅や一般建物などの壁に設けられる収納装置に係り、特に収納装置の前面に設けられる引戸が閉めた状態で面一に並ぶものに関する。
【背景技術】
【０００２】
従来、住宅などの壁に設けられる収納装置としては、扉が片側開きまたは両側開き（観音開き）するもの、扉が蛇腹状に折れ曲がり開閉するもの、あるいは扉が引き違い戸となっているものなどが知られている（たとえば特許文献１など）。
【特許文献１】特公昭６０−９６３４号公報
【発明の開示】
【発明が解決しようとする課題】
【０００３】
しかしながら、従来の収納装置は、扉が片側開きまたは両側開きするものや扉が蛇腹状に折れ曲がり開閉するもの、あるいは扉が引き違い戸となっているものなどであるので、扉と壁の区別が比較的明確であり、意匠上も概して単調になるおそれがあった。また、扉が片側開きまたは両側開きの場合には、収納装置の前方に開閉のための空間が必要となり、それだけ広い面積を必要とするので使い勝手が良いとは云えなかった。
【０００４】
本発明の課題は、斬新な意匠を与えることができ、かつ使い勝手が良いことである。
【課題を解決するための手段】
【０００５】
上記課題を解決するため本発明は、壁の前に設けられる、または一部または全部が壁内に設けられる収納装置であって、この収納装置の前面に少なくとも一対の引戸が設けられ、この一対の引戸の上および下の位置に対向して設けられる案内溝と、この案内溝に案内され一対の引戸の各々の上部および下部に設けられる被案内手段とを備え、案内溝は一対の引戸の引き方向に形成される直線溝と、この直線溝の中央を中心にハの字状に前方に広がる第１の分岐溝と、直線溝の両端から第１の分岐溝と同側でこの直線溝から遠ざかる方向に形成される第２の分岐溝とを有してなることを特徴とする。
【０００６】
このようにすることにより、一対の引戸が当初閉まった状態を考えれば、引戸の面は面一に並ぶようにすることができる。案内溝は一対の引戸の上および下の位置に対向して設けられるので、たとえば一方の引戸を斜め後方に押すと、この引戸の上部および下部に設けられる被案内手段は、第１の分岐溝と第２の分岐溝に沿って移動し、直線溝側に移動する。直線溝は一対の引戸の引き方向に形成されるので、一方の引戸をさらに押すと、引戸の被案内手段は直線溝に沿って案内され、一方の引戸は他方の引戸の裏側に位置して止まる。この状態で当初一方の引戸が位置していた側が開放される。
【０００７】
また、開放された一方の引戸をその引き方向に引くことにより、その上部、下部の被案内手段は直線溝に沿って移動する。さらに一方の引戸を引くと、上部、下部の被案内手段は第１の分岐溝と第２の分岐溝の入口に至り、さらに一方の引戸を手前に引くことによりこれら分岐溝を手前側に移動させることができ、収納装置の前面は閉ざされる。一対の引戸のうち、他方の引戸を開閉する場合についても一方の引戸の場合と同様の作用により開閉される。
【０００８】
一対の引戸は、開かれる前は面一に並んで位置し、あたかも同一面であるかのように見える。この引戸面を収納装置の設置する周りの壁の意匠に合せることにより全体として斬新な意匠を与えることができる。さらに、引戸を開閉する際に、引戸は収納装置の前方に突出しないので、収納装置の前に開閉のための空間を必要とせず使い勝手が良い。
【０００９】
さらに、一対の引戸の突合せ側木口同士の間に方立てを設けると良い。方立ての裏側には引戸が移動する際の干渉を防ぐ逃がしを設けることができるので、引戸の端部形状は特別の形状に形成する必要がなくなり、引戸の形状が単純化される。また、方立てと引戸との間の隙間を目立たなくすることができ、外側から収納装置の内部を見えにくくする。この場合、方立ての両端が各引戸の外側表面を覆うようにするとさらに良い。こうすると隙間がなくなり外側から収納装置の内部が見えなくなる。
【００１０】
さらに、方立ては取り外し可能に形成されると良い。このようにすると、方立てを取り外すことができるので、引戸の裏側に手が入り、引戸の取り外しや上部、下部の被案内手段の調整がやり易くなる。
【００１１】
次に本発明を構成する各要件についてさらに詳しく説明する。本発明の収納装置は、壁の前、すなわち収納装置の背面を壁に接触させて設けても良いし、収納装置の背面側の一部または収納装置の奥行きの全部を壁内に埋め込んでも良い。全部が壁内に埋め込まれるときには、収納装置の前面が略壁面と面一になるように設けられる。
【００１２】
収納装置の前面に設けられる引戸は、一対または複数対でも良い。室の幅を考慮して適宜の対の数とする。案内溝は、引戸の上または下に配置される部材に直接形成されても良いが、案内溝を形成したレールをこれらの部材に設けても良い。レールの材質としては、硬質合成樹脂や鉄、アルミニウム合金、銅合金などの金属を使用すると良い。
【００１３】
引戸の上部に設けられる被案内手段は、案内溝に案内されるものであれば、特に限定されないが、たとえばロッド、ピンなどの先端側に回転体を設けたものでも良い。この回転体が案内溝内を転動する。この場合、ロッド、ピンなどは上方に向かって常に付勢され、かつ引戸と上方の案内溝との間に引戸を上方に持ち上げることができる空間を設けると良い。こうすると引戸を案内溝に対して着脱し易くなる。引戸の下部に設けられる被案内手段は、引戸の重量を支えながら下方の案内溝に沿って移動可能なものである。このため引戸の下部に設けられる被案内手段は、車輪、ボールなどの回転体、キャスターなどを設けると良い。
【００１４】
案内溝の分岐部分、すなわち直線溝と第１の分岐溝との分岐部分、直線溝と第２の分岐溝との分岐部分には分岐用の分岐部材を使用しても良い。
【００１５】
方立ての逃がしは、たとえば方立ての前面両端から裏側の背面（収納装置の内部側）に向かって斜めにカットされた断面台形状のものや断面Ｔ字状のものなどを使用すると良い。
【発明の効果】
【００１６】
本発明によれば、斬新な意匠を与えることができ、かつ使い勝手が良い。
【発明を実施するための最良の形態】
【００１７】
以下、本発明に係る収納装置の最良の形態を図面に基づいて詳細に説明する。なお、図１〜１６において、同一または同等部分には同一符号を付けて示す。
【実施例１】
【００１８】
図１は、本発明に係る収納装置の実施例１を示す斜視図である。図２は、図１の正面図である。図３は、図１の右側面図である。実施例１の収納装置１は、住宅や一般建物などの壁の前またはその一部または全部が壁内に埋め込まれても良い。
【００１９】
収納装置１は、床上に配置される台輪１０と、この台輪１０の上に載置される本体３と、この本体３の前面１３に設けられる一対の引戸１４、１５とを備える。本体３は、台輪１０上に載置される地板８と、この地板の両端に立設される二つの側板６とを有する。さらに、これら側板６の上に設けられる天板５と、本体の背面側に設けられる背板９とを有する。天板５の前面には幕板１１が設けられる。
【００２０】
さらに、本体の地板８の前寄りと本体の天板５の前寄りには、互いに対向させて一対のレール２９および分岐部材３０ａ、３０ｂが設けられる。レール２９および分岐部材３０ａ、３０ｂには案内溝３１が形成される。
【００２１】
一対の引戸１４、１５は、その各々の上部および下部に上側被案内装置（被案内手段）１８および下側被案内装置（被案内手段）２２を備える（図３）。引戸１４、１５の上側被案内装置１８および下側被案内装置２２は、案内溝３１に案内される。また、一対の引戸１４、１５の突合せ側木口２８同士の間には取り外し可能な方立て６０が設けられる。
【００２２】
図４は、図２におけるＡ−Ａ線断面図である。引戸１４、１５は左右対称（反対勝手）に形成され、引戸が閉じられたときに二つの引戸の面同士は面一に並列する。また、引戸が開かれたときには、後述の図９に示すように、引戸同士が略重なるように形成される。本体３は、その地板８の中央に中仕切板７が立設される。
【００２３】
方立て６０には、引戸１４または１５を開くとき（または閉じるとき）にこの方立て６０と引戸１４または１５が互いに干渉しないように逃がし６１が形成される。この実施例における逃がし６１は、方立ての前面両端から裏側の背面（収納装置の内部側）に向かって斜めにカットされており、方立て６０の形状は台形状である。
【００２４】
図５は、図２におけるＢ−Ｂ線断面図である。本体の地板８には、引戸の下側被案内装置２２を案内する案内溝３１が設けられる。地板８に設けられる案内溝３１は、引戸１４、１５の下側被案内装置２２を案内するとともに引戸１４、１５を支える。案内溝３１は、一対の引戸の引き方向６２に形成される直線溝３２と、この直線溝３２の中央３３を中心にハの字状に前方に広がる第１の分岐溝３５と、直線溝３２の両端から第１の分岐溝３５と同側でこの直線溝３２から遠ざかる方向に形成される第２の分岐溝３８とを有する。
【００２５】
さらに、案内溝３１は、先に記載したレール２９には直線溝３２が形成され、分岐部材３０ａには直線溝３２と第１の分岐溝３５、分岐部材３０ｂには直線溝３２と第２の分岐溝３８が形成されるので、地板８にこれらレール２９、分岐部材３０ａ、３０ｂを埋め込むことにより設けられる。レール２９および分岐部材３０ａ、３０ｂの材質としては、硬質合成樹脂や鉄、アルミニウム合金、銅合金などの金属を使用する。また、直線溝３２と第１の分岐溝３５との間には、引戸１４、１５の経路を直線溝３２と第１の分岐溝３５との間で切り替える方向切替装置４３が設けられる。
【００２６】
本体の天板５の下側前寄りにも上記地板８の案内溝３１に対向させて上部の案内溝３１が設けられる。上部の案内溝３１の構造は、下部の案内溝３１と同じであるので、その説明を省略する。
【００２７】
図６は、図５における中央側分岐部分の拡大図である。直線溝３２と第１の分岐溝３５との間には方向切替装置４３が設けられる。方向切替装置４３は、揺動部材４４と、途中停止防止装置（途中停止防止手段）５４とを備える。揺動部材４４は、ピン５０を中心にして先端側（一側）の揺動部４４ａが揺動する。途中停止防止装置５４は、ピン５０に対して揺動部４４ａと反対（他側）の基端部４４ｂ側に設けられ揺動途中位置における停止を防止する。
【００２８】
揺動部材４４は、直線溝３２と第１の分岐溝３５との間で切り替え可能で、揺動部材４４内に位置するピン５０を支点にして揺動可能に形成される。揺動部材４４は、この揺動部材４４が第１の分岐溝３５側に移動したときに直線溝３２に突出する第１の突起４５および直線溝３２側に揺動したときに第１の分岐溝３５に突出する第２の突起４８を有する。第１の突起４５を形成する一側の面４６および第２の突起４８を形成する一側の面４９は滑らかな曲面ないし平面に形成される。
【００２９】
途中停止防止装置５４は、基端部４４ｂに設けられるピン５５に対して揺動面内で回動可能に固定される中間部材５６と、この中間部材５６をピン５５側に付勢するコイルばね（付勢手段）５７とを有する。ピン５５の位置は、揺動部４４ａ先端とピン５０とを結ぶ線の延長線上に略位置する。揺動部４４ａが第１の分岐溝３５側に移動しているときにはコイルばね５７は基端部４４ｂを直線溝３２側に押圧するように付勢し、揺動部４４ａが直線溝３２側に移動しているときにはコイルばね５７は基端部４４ｂを第１の分岐溝３５側に押圧するように付勢している。
【００３０】
さらに、方向切替装置４３は、実線の枠で示される分岐部材３０ａに設けられる。すなわち、分岐部材３０ａに、直線溝３２と第１の分岐溝３５が形成され、かつ揺動部材４４がピン５０を介して設けられる。さらに、第１の分岐溝３５には凸状の段部３６が形成され、この段部３６と合成ゴムなどの軟質材で形成されるストッパー３７との間に引戸の下側被案内装置２２を停止させる位置決め個所が形成される。
【００３１】
なお、第２の分岐溝３８（図５）についても、第１の分岐溝３５と同様に、実線の枠で示される分岐部材３０ｂに設けられる。すなわち、分岐部材３０ｂに、直線溝３２と第２の分岐溝３８が形成される。さらに、第２の分岐溝３８には凸状の段部が形成され、この段部と合成ゴムなどの軟質材で形成されるストッパーとの間に引戸の下側被案内装置２２を停止させる位置決め個所が形成される。
【００３２】
図７は、右側の引戸を示し、（ａ）は正面図、（ｂ）は右側面図である。引戸１５は、正面矩形で、上端木口の両端寄りに図示していない上側被案内装置１８を取り付けるための穴を有する。同様に、引戸１５は、下端木口の両端寄りに図示していない下側被案内装置２２を取り付けるための穴を有する。引戸１５の表面意匠は、腰壁の表面意匠と同じに形成され、かつ右端側には取手２４が設けられる。さらに、上端木口の両端寄りには各々磁石部材２７が設けられる。なお、左側の引戸１４は、右側の引戸１５に対して反対勝手の構造である。
【００３３】
図８は、図７におけるＣ−Ｃ線断面図である。取手２４は、引戸の後側先端２５と前側先端２６との間に手先の挿入できる隙間２４ａを有し、さらに、引戸の内部側に湾状に形成される窪み２４ｂを有する。隙間２４ａから手を入れて窪み２４ｂに手先をかけることにより引戸を開け閉めできる。
【００３４】
図９は、図４において、右側の引戸を開いた状態の断面図である。図１０は、図９におけるＤ−Ｄ線断面図である。図９から明らかなように、引戸１５の上側被案内装置１８および下側被案内装置２２の取り付け位置は、引戸１５の左端から上側被案内装置１８または下側被案内装置２２の中心までの距離Ｄが、本体の左側側板６の内側面から第２の分岐溝の分岐点までの距離ｄに等しいか、大きくなるように決められる。こうすることにより、引戸１５は、開かれた状態で引戸１４の裏側に平行に位置し、引戸１４と干渉することがない。
【００３５】
右側の引戸１５を開くときには、先ず取手に手をかけて引戸１５を奥側（または背面側）に押す。こうすると引戸１５は第１の分岐溝３５および第２の分岐溝３８に沿って奥側斜め左方に移動する。このとき、引戸１５の中央側の上側被案内装置および下側被案内装置は揺動部材４４の揺動部を直線溝３２側に回動させるので、引戸１５は直線溝３２側に移動する。この状態でさらに引戸１５を左側方向に押せば引戸１５は、直線溝３２に沿って移動し、引戸１５の左端木口が左側の側板６に当接し、収納装置１の右側が開放される。
【００３６】
開かれた引戸１５を閉めるときには、先ず取手に手をかけて引戸１５を右側方向に引く。こうすると引戸１５は直線溝３２に沿って右方に移動する。このとき、引戸１５の右端寄りの上側被案内装置および下側被案内装置は揺動部材４４の第１の突起４５を押して揺動部材を直線溝３２側に回動させてから引戸１５は直線溝３２の右端寄りに移動する。この状態でさらに引戸１５を手前に引くことにより引戸１５は、第１の分岐溝と第２の分岐溝に移動し、引戸１５は引戸１４と面一の状態で停止する。なお、引戸１４を開閉する場合も上記引戸１５の開閉と同じ動作をするので、その説明を省略する。
【００３７】
図１１は、図１０における引戸上部側の拡大断面図である。引戸１４、１５の上部に設けられる上側被案内装置１８は、引戸１４、１５の上端木口に取り付けられる調整ロッド２０と、この調整ロッド２０の上端に設けられる回転体１９とを有する。調整ロッド２０は上方にばねなどで付勢され、引戸１４、１５に対して摺動可能に設けられる。回転体１９は、レール２９の案内溝３１に挿入され回転しながら案内される。調整ロッド２０は、上方に付勢され、かつ引戸の上端１４ａ、１５ａと天板の下面５ａとの間に隙間を設けるので、引戸１４、１５を上方に持ち上げることができ、引戸１４、１５を案内溝３１から外し易く、かつ引戸１４、１５の高さ調整が容易となる。
【００３８】
さらに、引戸１４、１５の上端木口の両端寄りには各々磁石部材２７が設けられる。磁石部材２７は、引戸１４、１５が閉められた状態で幕板１１側に設けられる金属板１２を吸着する。もちろん金属板１２は磁石部材に吸引されることが可能な材質である。これにより引戸１４，１５が閉められたときに引戸１４，１５の姿勢が安定に維持される。
【００３９】
図１２は、図１０における引戸下部側の拡大断面図である。引戸の下部に設けられる下側被案内装置２２は、引戸１４、１５の重量を支えながら下方の案内溝３１に沿って移動可能である。下側被案内装置２２は、引戸１４、１５の下端木口に取り付けられる車輪（またはキャスター）２３を有する。車輪２３は引戸１４、１５に対して水平面内で回転自在な自由車輪である。また、車輪２３は、引戸１４、１５に対してねじなどを利用して高さ調整ができるようになっている。このような構造とすることにより、引戸１４、１５の重量を支えることができるとともに上下方向の高さ調整ができる。
【００４０】
収納装置の本体３や引戸１４、１５などの材料は、木質系で、たとえば、木質繊維板（ＭＤＦなど）を使用する。さらに、これらの少なくとも露出部分には化粧材を設ける。化粧材としては、たとえば合成樹脂シートなどを使用し、その厚みは、たとえば０．０５〜１ｍｍの範囲で決める。
【００４１】
本実施例の収納装置１は、以上の構造を有するが、その作用を図１により説明する。一対の引戸１４、１５は、閉じられた状態では面一に位置するので、一対の引戸１４、１５の表面は、これを設置する周りの壁の面と意匠的にほとんど同一にすることが可能である。このため斬新な意匠を与えることができる。さらに、引戸１４または１５を開閉する際に、引戸１４または１５は収納装置の前方に突出しないので、収納装置１の前に開閉のための空間を必要とせず使い勝手が良い。
【００４２】
また、一対の引戸１４、１５の突合せ側木口同士の間に方立て６０を設けることにより、方立て６０の裏側には引戸１４または１５が移動する際の干渉を防ぐ逃がし６１を設けることにより、引戸１４、１５の端部形状は特別の形状に形成する必要がなくなり、引戸の形状が単純化される。また、引戸１４、１５と方立て６０との間の隙間を少なくすることができ、外側から収納装置１の内部を見えにくくする。方立て６０を取り外し可能に形成することにより、引戸の案内溝３２からの着脱や上部、下部の上側被案内装置１８、下側被案内装置２２の調整をやりやすくする。
【００４３】
図１３は、実施例１の収納装置を腰壁の位置に設置した状態の斜視図である。収納装置１は、腰壁６４と同じ高さに設けられたものである。すなわち、単独に形成された収納装置三つを建物の壁の腰壁６４の位置に沿って互いに隣接させて設けたものである。
【００４４】
収納装置の幕板１１の高さと幅を腰壁６４のチェアレール６４ａに一致させ、収納装置の地板８および台輪１０の正面デザインを腰壁の巾木６４ｂに合せれば、正面から見た外観が非常にすっきりしたものとなり、斬新な意匠を与えることができるとともに、引戸の開閉の際に引戸自体が手前に突出しないので使い勝手が良い。なお、図１３において、収納装置１の高さを腰壁６４の高さより大きくし、壁の中間高さまであるいは天井までの高さとしても良い。
【００４５】
図１４は、実施例１の収納装置を出窓のカウンターの下に設置した状態の斜視図である。収納装置１は、壁に設けられた出窓６５の下およびその両側の腰壁の位置に設けられる。すなわち、単独に形成された収納装置三つを出窓のカウンター６３の下および腰壁の位置に沿って互いに隣接させて設けたものである。収納装置１の前面の引戸は面一に形成され、かつ引戸表面の意匠と腰壁６４の意匠とを略同一に形成する。
【００４６】
このように、出窓のカウンター６３の下に設けても、収納装置の正面デザインを腰壁の正面デザインに合せれば、正面から見た外観が非常にすっきりしたものとなり、斬新な意匠を与えることができるとともに、引戸の開閉の際に引戸自体が手前に突出しないので使い勝手が良い。なお、図１４において、本体天板５とカウンター６３とを共通のものとしても良い。また、出窓６５の両脇のカウンター６３を無くし、収納装置１の高さをカウンター６３の高さより大きくしても良い。
【実施例２】
【００４７】
図１５は、本発明に係る収納装置の実施例２を示す断面図である。実施例２の収納装置において、方立て６０が逃がし６１の外側端から水平方向に延在し引戸１４、１５の表面を覆う突起６０ａを有することである。突起６０ａが引戸１４、１５の表面を覆うようにすると、方立て６０と引戸１４または１５との間の隙間がなくなり引戸の外側から収納装置の内部が見えなくなる。実施例２の収納装置におけるその他の構造と作用は、実施例１のものと同じであるのでその説明を省略する。
【実施例３】
【００４８】
図１６は、本発明に係る収納装置の実施例３を示し、（ａ）は引戸の正面図、（ｂ）は（ａ）におけるＤ−Ｄ線断面図である。実施例３の収納装置においては、引戸１５の形状が実施例１、２の収納装置の引戸に比べ異なる。すなわち、引戸１５は、その右端（一端）寄りの裏側に引戸の高さ方向全長に渡る取手溝１６と、表面側において高さ方向に延在する複数（五つ）の凸部１７ａおよび複数（四つ）の凹部１７ｂとを有することである。引戸１５の裏側に設けた取手溝１６は、引戸１５が、図９に示すように、開いた状態から閉めるときに、先ずこの取手溝１６に手先を掛けて引くときに利用する。取手溝１６は、高さ方向全長に渡って設けられているので、引戸１５の右端のどの位置に手を掛けても引戸１５を引くことができる。
【００４９】
引戸１５の表面側凹凸１７ａ、１７ｂは、引戸１５が、図９に示すように閉まった状態から右側方向に引かれ、本体の右側側板６に近づいたときに、手を取手溝１６から離し凹凸１７ａ、１７ｂに移し替えて右側方向に押すことにより引戸１５を完全に閉めるときに利用する。このように、実施例３の収納装置における引戸１５は、その表側に取手自体を設けなくても引戸の開閉が容易にできるとともに、意匠的にも周りの壁の意匠に合せ易くしている。なお、引戸１４の構造は、引戸１５に対して左右対称の反対勝手の構造であり、その作用も同じであるので、その説明を省略する。また、実施例３の収納装置におけるその他の構造と作用は、実施例１のものと同じであるのでその説明を省略する。
【００５０】
以上この発明を図示の実施例について詳しく説明したが、それを以ってこの発明をそれらの実施例のみに限定するものではなく、この発明の精神を逸脱せずして種々改変を加えて多種多様の変形をなし得ることは云うまでもない。
【産業上の利用可能性】
【００５１】
本発明の収納装置は、住宅や一般建物など室の壁の前に、または壁に埋め込んで設けることができる。
【図面の簡単な説明】
【００５２】
【図１】本発明に係る収納装置の実施例１を示す斜視図である。
【図２】図１の正面図である。
【図３】図１の右側面図である。
【図４】図２におけるＡ−Ａ線断面図である。
【図５】図２におけるＢ−Ｂ線断面図である。
【図６】図５における中央側分岐部分の拡大図である。
【図７】右側の引戸を示し、（ａ）は正面図、（ｂ）は右側面図である。
【図８】図７におけるＣ−Ｃ線断面図である。
【図９】図４において、右側の引戸を開いた状態の断面図である。
【図１０】図９におけるＤ−Ｄ線断面図である。
【図１１】図１０における引戸上部の拡大断面図である。
【図１２】図１０における引戸下部の拡大断面図である。
【図１３】実施例１の収納装置を腰壁の位置に設置した状態の斜視図である。
【図１４】実施例１の収納装置を出窓のカウンターの下に設置した状態の斜視図である。
【図１５】本発明に係る収納装置の実施例２を示す断面図である。
【図１６】本発明に係る収納装置の実施例３を示す断面図である。
【符号の説明】
【００５３】
１  収納装置
１３  前面
１４、１５  引戸
１８  上側被案内装置（被案内手段）
２２  下側被案内装置（被案内手段）
２８  突合せ側木口
３１  案内溝
３２  直線溝
３３  中央
３５  第１の分岐溝
３８  第２の分岐溝
６０  方立て
６２  引き方向
【図１】
2005120794.tif 000003
【図２】
2005120794.tif 000004
【図３】
2005120794.tif 000005
【図４】
2005120794.tif 000006
【図５】
2005120794.tif 000007
【図６】
2005120794.tif 000008
【図７】
2005120794.tif 000009
【図８】
2005120794.tif 000010
【図９】
2005120794.tif 000011
【図１０】
2005120794.tif 000012
【図１１】
2005120794.tif 000013
【図１２】
2005120794.tif 000014
【図１３】
2005120794.tif 000015
【図１４】
2005120794.tif 000016
【図１５】
2005120794.tif 000017
【図１６】
2005120794.tif 000018